(57)【特許請求の範囲】
【請求項１】
張地を被せて使用される椅子本体が、その使用面に溝状の凹部を有するものにおいて、
前記椅子本体のうち、溝状の凹部に対応する部位に互いに離間した複数の脱着部を形成し、この脱着部に使用面側から張地を貫通して係り合う互いに離間した複数の突起部と、前記溝状の凹部に沿って伸び張地を押える棒状の本体部とを具備する張地止めを着脱可能に装着し得るようにしたことを特徴とする椅子。
【請求項２】
張地が、一部に開口を有し、その開口を介して椅子本体に被せられる袋状のものであることを特徴とする請求項１記載の椅子。
【請求項３】
脱着部が、椅子本体を構成する芯材に形成されていることを特徴とする請求項１又は２記載の椅子。
【請求項４】
張地止めが、脱着部に弾性変形によって係わり合い、一定以上の引っ張り力によってその係わり合いを解除する突起部を有していることを特徴とする請求項３記載の椅子。
【請求項５】
凹部が、椅子本体の一部をなす背凭れに幅方向に沿って延びる溝状のものであることを特徴とする請求項１、２、３又は４記載の椅子。
【請求項６】
凹部が、背支持部と頭部支持部の間に形成されていることを特徴とする請求項５記載の椅子。
【請求項７】
凹部が、椅子本体の一部をなす座に設けてあることを特徴とする請求項１又は２記載の椅子。
【発明の詳細な説明】
【０００１】
【発明の属する技術分野】
本発明は、張地を被せて使用される椅子に関するものである。
【０００２】
【従来の技術】
椅子の中には、使用面を清潔に保ち、汚損に容易に対応できるように、張地を被せて使用されるものが少なくない。
【０００３】
例えば、背凭れに張地を被せる場合、張地を下端側に開口を有する袋状のものにしておき、その開口を介して張地を背凭れに上方から被せ、その被覆位置で張地の開口を絞る等して、背凭れに定着させるようにしている。
【０００４】
【発明が解決しようとする課題】
ところが、背凭れの使用面に凹部があると、張地がうまく張れない場合がある。例えば、背凭れの背支持部の上方に頭部支持部が前方へ屈曲して設けられ、背支持部と頭部支持部の間に幅方向に沿った溝状の凹部が形成されている場合、その部位において張地が凹部に沿わずに浮き上がり、だぶついて、椅子の外観が損なわれるだけでなく、張地が動いて使用感が劣悪なものとなる場合もある。
【０００５】
このような不具合に対処するために、使用面側から張地止めを挿入し、背凭れを貫通した背面位置で張地止めの先端を何らかの操作により固定する構造を採用することも考えられるが、このようにすると張地の交換時に張地止めの着脱作業が面倒になり、時としてその作業は困難を極める場合もある。
【０００６】
このような不具合は、凹部を有する座に張地を被せる場合にも同様に言えることである。
【０００７】
【課題を解決するための手段】
上記の問題点を解消するために、本発明は、凹部を有する椅子本体に対して張地の脱着容易性を損なうことなく、その装着状態を適正なものにし得る張地取付構造を備えた椅子を提供しようとするものである。
【０００８】
【発明の実施の形態】
そのために、本発明の椅子は、張地を被せて使用される椅子本体が、その使用面に溝状の凹部を有するものにおいて、前記椅子本体のうち、溝状の凹部に対応する部位に互いに離間した複数の脱着部を形成し、この脱着部に使用面側から張地を貫通して係り合う互いに離間した複数の突起部と、前記溝状の凹部に沿って伸び張地を押える棒状の本体部とを具備する張地止めを着脱可能に装着し得るようにしたことを特徴とする。この凹部は、必ずしも外観上明確に視認されるようなものに限らず、張地を張ったときに周囲よりも凹んでいるがためにだぶつくようなものであればよい。
【０００９】
このような構成のものであれば、凹部付近において浮き上がり或いはだぶついた張地は、張地止めを装着することにより凹部に沿って椅子本体に密着する位置に押し付けられることになる。このため、椅子の良好な外観及び使用感を確保することができる。しかも、張地止めは椅子本体の使用面側から着脱可能に装着できるものであるため、張地の張り替えに際して面倒な作業が不要であり、張地の交換を簡便に行うことが可能になる。
【００１０】
このような作用効果は、張地が、一部に開口を有し、その開口を介して椅子本体に被せられる袋状をなしている場合に特に有効である。
【００１１】
装着状態を確実なものにし、なおかつ装着された先端が椅子本体の背面側に露出することを有効に防止するためには、脱着部が、椅子本体を構成する芯材に形成されていることが望ましい。
【００１２】
この場合に、使用面側からの張地止めの脱着を簡単、確実に行えるようにするためには、張地止めが、脱着部に弾性変形によって係わり合い、一定以上の引っ張り力によってその係わり合いを解除する突起部を有していることが好ましい。
【００１３】
本発明の好ましい適用例としては、凹部が、椅子本体の一部をなす背凭れの幅方向に沿って延びる溝状のものである椅子が挙げられる。
【００１４】
この場合、特に、凹部が、背支持部と頭部支持部の間に形成されているものが効果的である。
【００１５】
勿論、本発明は、凹部が椅子本体の一部をなす座に設けられている椅子にも適用が可能なものである。
【００１６】
【実施例】
以下、本発明の一実施例を、図面を参照して説明する。
【００１７】
この実施例の椅子本体Ａは、図１及図２に示すように、脚体１の上に座２及び背凭れ３を支持させてなるもので、少なくとも背凭れ３に、張地４を着脱可能に被せて使用することができるようにしたものである。
【００１８】
背凭れ３は、図４に示すように、背座境界部から斜め後方に起立して延びる背支持部３１と、この背支持部３１の上端から前上方に屈曲して延びる頭部支持部３２とからなるもので、これら背支持部３１及び頭部支持部３２が境界部３０を隔てて左側面視「く」字形に屈曲し、その部位に幅方向に沿って緩やかなＶ字をなす溝状の凹部３３を形成している。この背凭れ３は、樹脂等の比較的剛性のある素材により作られた芯材３ａと、この芯材３ａの前面側に配置されたクッション材３ｂと、これら芯材３ａ及びクッション材３ｂを分離し得ないように包み込むカバー３ｃとからなっている。
【００１９】
一方、この背凭れ３に着脱可能に被せられる張地４は、背凭れ３を収容し得る内空４１を有し、下端側に開口４２を形成してなるもので、この張地４を開口４２を介して背凭れ３に上端側から被せ、所定取付位置でその開口４２を絞る等して背凭れ３に定着させて使用するようにしたものである。
【００２０】
このような構成において、本実施例は、図２〜図４に示すように、前記椅子本体Ａの背凭れ３のうち、凹部３３に対応する部位に脱着部５を形成し、この脱着部５に使用面となる背凭れ面３ｘ側から張地４を貫通して張地止め６を着脱可能に装着することができるようにしている。
【００２１】
脱着部５は、椅子本体Ａを構成する芯材３ａの凹部対応位置に左右に対をなして設けてあるもので、図２〜図４に示すように、前面側に位置する角孔５１と、この角孔５１を背面側に漸次幅広にしつつ解放するテーパ孔５２とからなっている。なお、クッション材３ｂ、カバー３ｃ及び張地４には、前記脱着部５の対応位置に孔３ｂ１、３ｃ１、４０が形成してある。
【００２２】
これに対して、張地止め６は、凹部３３に沿って延びる棒状の本体部６１と、この本体部６１の左右２カ所にあって前記脱着部５の対応位置から背面側に向かって延びる突起部６２とを備えているもので、この突起部６２は、先端に前記テーパ孔５２とほぼ同一テーパ角のテーパ部６２ａを有し、そのテーパ部６２ａよりも所定距離（前記角孔５１の深さにほぼ対応）を隔てて基端側に鍔部６２ｂを有するとともに、テーパ部６２ａと鍔部６２ｂの間に存する軸部６２ｃをこれらよりも幅狭にしてその外形を前記角孔５１の内形にほぼ対応させてある。また、少なくとも鍔部６２ｂを含みこれよりも先端側の部位をスリット６２ｄにより二分して、外力が加わるとスリット幅が縮まってテーパ部６２aの幅を縮小させ得るようにしている。
【００２３】
すなわち、背凭れ３に張地４を被せた場合、それのみでは凹部３３の前方において張地４が凹部３３の形状に沿わずに浮き上がり、だぶついた状態になるが、この状態で張地止め６の突起部６２を孔４０、３ｂ１、３ｃ１を貫通して脱着部５に差し込むと、突起部６２は経過的にスリット幅を縮小させて幅狭となった状態で角孔５１を通過し、テーパ部６２ａがテーパ孔５２に出た時点で拡幅して、テーパ部６２ａの外周をテーパ孔５２の内周に係わり合わせることとなる。そして、このとき鍔部６２ｂとテーパ部６２ａとの間に芯材３ａを挟み込んだ状態で、この突起部６２が脱着部５に係わり合い、張地止め６はこの位置に固定されることとなる。そして、この突起部６２を一定以上の力で引っ張った場合に限り、前記テーパ部６２ａがテーパ孔５２に沿ってその幅を縮小させながらテーパ孔５２から抜け出し、角孔５１を介して脱着部５との係わり合いを解除して抜き取られるようになっている。
【００２４】
以上のようにして、本実施例の椅子は、椅子本体Ａの背凭れ３がその背凭れ面３ｘに凹部を有し、背凭れ３に張地４を被せただけではその凹部３３付近において張地４が浮き上がり、だぶつきを生ずるようなものであっても、その凹部３３に対応する部位において椅子本体Aに脱着部５を形成し、この脱着部５に使用面３ｘ側から張地４を貫通して張地止め６を着脱可能に装着し得るようにしたものである。
【００２５】
このため、凹部３３付近において浮き上がり或いはだぶついた張地４を張地止め６により的確に押さえて、椅子の良好な外観及び使用感を確保することができる。しかも、張地止め６は椅子本体Ａの背凭れ面３ｘ側に表出しており、ここから着脱可能に装着できるため、張地４の張り替えに際して面倒な作業が不要であり、張地４の交換が簡便となって取り扱いの便を有効に向上させることが可能となる。
【００２６】
特に、この実施例の張地４は、一端側に開口４２を有し、その開口４２を介して椅子本体Ａに被せられる袋状のものであるため、単に被せるだけでは比較的大きな張地４の浮き上がりやだぶつきが生じ易いものであるが、本実施例はその張地４の交換の便を損なうことなく、浮き上がりやだぶつきを効果的に抑えることができる。
【００２７】
また、この実施例では、脱着部５が、椅子本体Ａを構成する芯材３ａに形成してあり、張地止め６を固定するための十分な足場を確保することができるため、張地４の装着状態を確実なものにすることができ、また芯材３ａは椅子本体Ａの内部に存在するため、装着した張地止め６の先端を椅子本体Ａの背面側に露出させることを有効に防止して椅子の外観を良好な状態に保つことができる。
【００２８】
さらに、本実施例の張地止め６は、脱着部５に弾性変形によって係わり合い、一定以上の引っ張り力によって始めて係わり合いを解除する突起部６２を有しているため、使用面側からの張地止め６の脱着を簡単、確実に行うことができ、張地４の交換に伴う作業の便をより有効に向上させることが可能となる。
【００２９】
したがって、本実施例のように、椅子本体Ａの一部をなす背凭れ３の幅方向に沿って凹部３３が溝状に延び、張地４の浮き上がりやだぶつきが極めて目立ち易いような椅子において本発明の効果は極めて顕著なものとなる。
【００３０】
特に、凹部３３が、背支持部３１と頭部支持部３２の間に形成されているため、張地止め６を装着してもこの張地止め６が首の背後に位置して体に触れる可能性が少ないので、座り心地が損なわれる不都合も有効に回避することができる。
【００３１】
なお、本発明は、凹部が椅子本体の一部をなす座に設けられている椅子に適用しても同様の作用効果が奏される。また、張地止めを必要に応じて板状のものを用いることも有効である。勿論、この張地止めを始め、脱着部や突起部、テーパ部やテーパ孔、その他の具体的な構成は、上述した実施例のみに限定されるものではなく、本発明の趣旨を逸脱しない範囲で種々変形が可能である。さらに、張地止めは使用面側に露出しているため、この張地止めに磁性を付与して健康器具として使用するなどの機能を付加することも有効となる。
【００３２】
【発明の効果】
本発明は、以上説明したような形態で実施され、以下に記載される効果を奏する。
【００３３】
すなわち、本発明の椅子は、張地を被せて使用される椅子本体が、その使用面に凹部を有するものにおいて、前記椅子本体のうち、凹部に対応する部位に脱着部を形成し、この脱着部に使用面側から張地を貫通して張地止めを着脱可能に装着し得るようにしたものである。
【００３４】
このため、張地止めにより凹部付近において浮き上がり或いはだぶついた張地を的確に押さえて、椅子の良好な外観及び使用感を確保することができる。しかも、張地止めは椅子本体の使用面側から着脱可能に装着できるため、張地の張り替えに際して面倒な作業が不要であり、張地の交換を簡便に行えるようにして椅子の取り扱いの便を有効に向上させることが可能となる。
【００３５】
特に、張地が、一部に開口を有し、その開口を介して椅子本体に被せられる袋状のものである場合には、張地の浮き上がりやだぶつきが大きいために特に効果的となる。
【００３６】
脱着部が、椅子本体を構成する芯材に形成してある場合には、取付先に強度があるため張地止めの装着状態を確実なものにすることができ、また芯材は椅子本体の内部に存在するため、装着した張地止めの先端を椅子本体の背面側に露出することを有効に防止して椅子の外観を良好に保つことができる。
【００３７】
張地止めが、脱着部に弾性変形によって係わり合い、一定以上の引っ張り力によって係わり合いを解除する突起部を有している場合には、使用面側からの張地止めの脱着を簡単、確実に行うことができ、張地の交換に伴う作業の便をより有効に向上させることができる。
【００３８】
このような構成は、椅子の凹部が、椅子本体の一部をなす背凭れの幅方向に沿って溝状に延びるような極めて目立ち易い態様で存在する場合に極めて有効である。
【００３９】
この場合、特に、凹部が、背支持部と頭部支持部の間に形成されているものであれば、張地止めを装着してもこの張地止めが体に触れる可能性が少ないので、座り心地が損なわれる不都合を有効に回避することができる。
【００４０】
以上のような効果は、本発明を、凹部が椅子本体の一部をなす座に設けられている椅子に適用しても全く同様である。
【図面の簡単な説明】
【図1】  本発明の一実施例を示す斜視図。
【図2】  同実施例の要部分解斜視図。
【図３】  同実施例の要部を示す平断面図。
【図４】  同実施例の要部を示す縦断面図。
【図１】
0003838413.tif 000002
【図２】
0003838413.tif 000003
【図３】
0003838413.tif 000004
【図４】
0003838413.tif 000005